(57)【要約】【課題】フォーマットの異なる複数の監視映像を表示領域に自在に表示させる技術を提供する。【解決手段】表示領域５００には、表示領域に合わせたサイズの配置領域６００が配置される。監視映像リスト２００に列挙された監視映像からユーザによって選択された監視映像を配置領域６００の所望の位置にドラッグアンドドロップすることで、配置領域６００に監視映像を配置することができる。配置領域６００に配置された監視映像である配置映像６１は、ユーザの所望の配置位置に移動可能であり、また、ユーザの所望の大きさに拡大、縮小、切り出しができる。配置領域６００には、静止画６２やイラスト６３を付加することができ、配置映像６１の説明や補足に用いることができる。【選択図】図３
2013081039.tif 000002
【特許請求の範囲】
【請求項１】
複数の監視映像を配置領域に配置して表示させる映像表示装置であって、
表示させた前記監視映像の配置位置を任意の位置に自在に設定可能とする配置位置変更手段を
備えたことを特徴とする映像表示装置。
【発明の詳細な説明】
【技術分野】
【０００１】
本発明は、監視映像を表示する映像表示装置に係り、特に、フォーマットの異なる複数の監視映像を表示する映像表示装置に関する。
【背景技術】
【０００２】
従来、複数の監視カメラの映像を表示させる際に、４：３の画面アスペクト比で構成された映像表示部の表示領域を４分割して、４：３の画面アスペクト比である４系統の監視映像を、表示領域の各分割領域にそれぞれ配置して同時に表示させるとともに、その配置パターンを記憶する技術が知られている（例えば、特許文献１を参照）。
【先行技術文献】
【特許文献】
【０００３】
【特許文献１】特開２００８−０１７５２９号公報
【発明の概要】
【発明が解決しようとする課題】
【０００４】
ところで、近年、監視カメラ等における映像フォーマットの高解像度化と画面アスペクト比の多種多様化が進んでいる。それにつれて、映像フォーマットの仕様が異なる複数の監視用映像が混在する監視システムも増えつつある。
【０００５】
この場合、次のような問題が生じていた。例えば、ＶＧＡ（解像度が640×480ピクセルで画面アスペクト比が4：3）に対応した画面サイズの表示部に、フルハイビジョン（解像度が1920×1080ピクセルで画面アスペクト比が16：9）の監視映像を表示させるとする。すると、ＶＧＡとフルハイビジョンとでは画面アスペクト比が異なるので、ＶＧＡの画面横幅に合わせてフルハイビジョンの映像を表示させると、画面の上下に映像が表示されない無駄な領域が生じてしまう。一方、ＶＧＡの画面高さに合わせてフルハイビジョンの映像を表示させると、映像の左右が削除されて映像全体を表示できなかった。また、いずれの場合も、解像度が１／３〜１／２程度下がった状態で表示されるため、フルハイビジョン映像本来の高解像度表示を生かすことができなかった。逆に、表示部の画面サイズをフルハイビジョンに対応させると、今度はＶＧＡの映像を表示させる場合に同様の問題が生じていた。
【０００６】
しかしながら、特許文献１の技術では、所定フォーマットの監視映像を、この監視映像のフォーマットに合わせて画面設計された表示領域に表示させるため、フォーマットの異なる複数の監視映像を表示領域に自在に表示させることができなかった。
【０００７】
本発明は上記課題に鑑みてなされたものであり、フォーマットの異なる複数の監視映像を表示領域に自在に表示させる技術を提供することを目的とする。
【課題を解決するための手段】
【０００８】
本発明の映像表示装置は、複数の監視映像を配置領域に配置して表示させる映像表示装置であって、表示させた前記監視映像の配置位置を任意の位置に自在に設定可能とする配置位置変更手段を備えたことを特徴とする。
【発明の効果】
【０００９】
本発明によれば、フォーマットの異なる複数の監視映像を表示領域に自在に表示させることができる。
【図面の簡単な説明】
【００１０】
【図１】本発明に係る実施形態の画像蓄積配信システムの全体構成を示す図である。
【図２】図１に示す画像蓄積配信サーバの構成を示す機能ブロック図である。
【図３】図１に示すクライアント端末の表示領域を示す画面例である。
【図４】図１に示すクライアント端末の表示領域を示す画面例である。
【図５】図１に示すクライアント端末の表示領域における配置領域を示すイメージ図である。
【図６】図１に示すクライアント端末の表示領域における配置領域を示すイメージ図である。
【図７】図１に示すクライアント端末の表示領域における配置領域を示すイメージ図である。
【図８】配置映像に対する圧縮率を示すイメージ図である。
【図９】図１に示すクライアント端末の表示領域における配置領域を示すイメージ図である。
【図１０】図１に示すクライアント端末の表示領域における配置領域を示すイメージ図である。
【図１１】図１に示すクライアント端末の表示領域における配置領域を示すイメージ図である。
【発明を実施するための形態】
【００１１】
以下、図を参照して本発明の実施形態を詳細に説明する。
【００１２】
まず、図１を参照して、画像蓄積配信システムの全体構成を説明する。画像蓄積配信システムは、複数のＷＥＢカメラ２（２−１〜２−ｎ）と画像蓄積配信サーバ１と複数のクライアント端末４（４−１〜４−ｍ）とネットワーク３とを備えている。画像蓄積配信サーバ１と複数のＷＥＢカメラ２と複数のクライアント端末４とはネットワーク３を介して接続されている。
【００１３】
各ＷＥＢカメラ２−１〜２−ｎは、それぞれ固有のチャネル番号を有し、例えば、ＷＥＢカメラ２−１にはチャネル番号Ｃｈ１、ＷＥＢカメラ２−２にはチャネル番号Ｃｈ２、・・・、ＷＥＢカメラ２−ｎにはチャネル番号Ｃｈｎが割り当てられている。ＷＥＢカメラ２は、監視空間を撮影した監視映像をネットワーク３を介して画像蓄積配信サーバ１に送信する。監視映像は、例えばＪＰＥＧ等で圧縮され、ＩＰパケット形式で画像蓄積配信サーバ１に送信されてもよい。
【００１４】
図２は、画像蓄積配信サーバ１の構成を示す機能ブロック図である。画像蓄積配信サーバ１は、ネットワークインタフェース１１とプロセッサ１２とプログラム格納メモリ１３とテーブル格納メモリ１４とデータ格納メモリと１７とディスクインタフェース１５とディスク装置１６とを備える。
【００１５】
ネットワークインタフェース１１は、ネットワーク３に接続するためのインタフェースである。
ディスクインタフェース１５は、ディスク装置１６に接続するためのインタフェースである。
ディスク装置１６は、チャネル別（サイト別）の記憶領域１６０を有しており、例えばｃｈ１用の記憶領域１６０−１、ｃｈ２用の記憶領域１６０−２、・・・、ｃｈｎ用の記憶領域１６０−ｎを有している。ディスク装置１６は、画像蓄積配信サーバ１と別体に構成されてもよい。
【００１６】
プログラム格納メモリ１３は、プロセッサ１２によって実行される各種の制御プログラムを記憶している。
テーブル格納メモリ１４は、各ＷＥＢカメラ２のカメラ情報と各ＷＥＢカメラ２の監視映像の記憶先であるチャネル別の記憶領域１６０とを対応付けて記憶している。ＷＥＢカメラ２のカメラ情報には、各ＷＥＢカメラ２の名称、チャネル番号、記録している監視映像のフレーム番号等や、録画状態情報（録画しているか否か等）等が含まれる。録画状態情報は、プロセッサ１２によってネットワーク３を介して各ＷＥＢカメラ２が録画中であるか否かが定期的に確認されて更新される。また、テーブル格納メモリ１４は、後述する配置領域のレイアウト情報をユーザ情報に対応付けて記憶している。
データ格納メモリ１７は、ネットワーク３を介して送受信される監視映像のバッファ領域や、ディスク装置１６に対して書き込み／読み出し処理がされる場合のキャッシュ領域として利用される。
【００１７】
プロセッサ１２は、プログラム格納メモリ１３に記憶された各種の制御プログラムを読み出して不図示のＲＡＭ等に展開して実行することで、画像蓄積配信サーバ１の各部を制御すると共に、画像蓄積配信サーバ１の機能を実現する。
【００１８】
プロセッサ１２は、ネットワーク３とネットワークインタフェース１１とを介して、ＷＥＢカメラ２の監視映像を取得すると、監視映像をＷＥＢカメラ２のチャネル番号に対応するディスク装置１６の記憶領域１６０に記憶させる。
【００１９】
また、プロセッサ１２は、クライアント端末４からの要求に応じて、記憶領域１６０に記憶させた監視映像をネットワーク３を介してクライアント端末４の表示部に表示させる。プロセッサ１２は、クライアント端末４に監視映像を表示させる際に、ユーザ認証を行ってもよく、認証されたユーザに対応する配置領域のレイアウト情報をテーブル格納メモリ１４から読み出して、レイアウト情報に従ったレイアウトで監視映像を表示させてもよい。
【００２０】
クライアント端末４は、不図示の表示部及び操作部を備えており、例えばＷＥＢブラウザ上で、ネットワーク３を介して画像蓄積配信サーバ１に記憶された監視映像を取得して、表示部で監視映像を再生する。
【００２１】
図３は、クライアント端末４において監視映像を再生する画面例であり、クライアント端末４における不図示の表示部の表示領域５００を示している。表示領域５００には、監視映像リスト２００と配置領域６００と配置保存ボタン４００とが表示される。監視映像リスト２００には、現在表示可能な監視映像がリスト表示される。例えば、監視カメラＡ〜Ｄは、テーブル格納メモリ１４における録画状態情報により、現在録画中であるＷＥＢカメラ２の名称を表示しており、リアルタイムの監視映像を表示可能であることを示す。また、録画映像Ｅ、Ｆは、記憶領域１６０に記憶された監視映像の名称を示す。監視映像リスト２００に表示される監視映像は、予めユーザによって指定された条件、例えばＷＥＢカメラ２のチャネル番号や監視映像のフレーム番号、録画時期等に対応している。
【００２２】
配置領域６００には、監視映像リスト２００の中からユーザによって選択された監視映像が配置され、配置映像６１として表示される。配置領域６００内には、ユーザの所望の静止画６２やイラスト６３等の追加情報を表示させることもできる。配置保存ボタン４００は、配置領域６００内のレイアウト情報、すなわち、配置領域６００内に配置されたコンテンツ情報（配置映像６１や静止画６２、イラスト６３等）とその各コンテンツの配置領域６００内の配置位置とを保存するボタンである。配置保存ボタン４００が押下されると、プロセッサ１２によって配置領域６００のレイアウト情報がテーブル格納メモリ１４に記憶される。そのため、例えば、クライアント端末４が再起動した際に、テーブル格納メモリ１４から読み出されたレイアウト情報に基づいて配置領域６００に監視映像を表示することができる。なお、以下では、種々の表示領域、配置領域、配置映像の例を挙げて説明するが、特に各表示領域を区別しない場合に単に表示領域５００として説明し、各配置領域を区別しない場合に単に配置領域６００として説明し、特に各配置映像を区別しない場合に単に配置映像６１として説明する。
【００２３】
まず、ユーザは、クライアント端末４を介して、監視映像リスト２００から所望の監視映像を選択する。ユーザは、監視映像リスト２００における所望の監視映像の上にマウスオーバーさせることで、その監視映像を選択することができる。次に、ユーザは、選択した監視映像をドラッグして、配置領域６００内の配置したい位置でドロップする。これにより、ドロップされた位置にユーザによって選択された監視映像が配置されて、配置映像６１として表示される。図３では、監視映像リスト２００における監視カメラＡ、監視カメラＢ、監視カメラＣ、監視カメラＤ、録画映像Ｅのそれぞれが選択されて配置領域６００にドラッグアンドドロップされたものが、配置領域６００の映像Ａ、映像Ｂ、映像Ｃ、映像Ｄ、映像Ｅのそれぞれに対応する。ユーザは、所望の静止画６２、例えば監視映像リスト２００の各ＷＥＢカメラ２が設置されているフロアの見取り図等を、例えば、コピーアンドペーストで配置領域６００の所望の位置に配置することができる。さらに、ユーザは、配置領域６００にイラスト６３として矢印を描画して、配置領域６００に配置した各映像Ａ〜Ｅと静止画６２（見取り図）とを矢印により関係付けて、静止画６２（見取り図）上で各映像Ａ〜Ｅの設置場所を矢印により分かりやすく指し示すことができる。なお、イラスト６３には、矢印の他に、引き出し線や吹き出し等の多様な図形や、文字、線等が含まれる。
【００２４】
配置領域６００は、表示領域５００に合わせて形状や大きさが自動的に又はユーザ操作により変化する。例えば、プロセッサ１２は、クライアント端末４が画像蓄積配信サーバ１にアクセスしてきたときに、クライアント端末４の表示領域５００のサイズを取得して、表示領域５００のサイズに合わせたサイズの配置領域６００をクライアント端末４に表示させることができる。そして、プロセッサ１２は、表示させた配置領域６００のサイズや形状をクライアント端末４を介するユーザの操作に応じて変更可能に構成すればよい。
【００２５】
例えば、図４（ａ）に示すように、表示領域５０１に対しては、４つの配置映像６１を配置可能な配置領域６０１が設けられている。図４（ｂ）において、図４（ａ）の表示領域５０１よりも大きな表示領域５０２では、表示領域５０２の大きさに合わせて、９つの配置映像６１を配置可能な配置領域６０２が設けられている。また、図４（ｃ）に示すように、新たに設けられたサブモニターによる表示領域５０３、表示領域５０４が追加された場合も、それぞれの新たな表示領域５０３、表示領域５０４に配置領域６０３、配置領域６０４を設けることができる。このように、配置領域６００を表示領域５００の形状や大きさに合わせて拡大、縮小、又は変形させることで、解像度や画面数によって変化する表示領域５００を無駄なく使用して、多数の監視映像を一覧表示させたり、高解像度映像を全体表示させたりする等に有効活用することができる。
【００２６】
配置領域６００における配置映像６１の配置についてさらに詳しく説明する。図５（ａ）は、配置領域６０１を仮想的に４分割した各分割領域に、４系統の監視映像を配置させ、画面アスペクト比が４：３のＶＧＡの配置映像６１１と１６：９の横設置のフルＨＤの配置映像６１２と１６：９の縦設置のフルＨＤの配置映像６１３と１６：９の斜め設置のフルＨＤの配置映像６１４とを配置させた例である。配置領域６０１の右上には、画面アスペクト比が４：３のＶＧＡの監視映像６１１が配置され、配置領域６０１の１／４領域に無駄なく配置されている。一方、１６：９の横設置のフルＨＤの監視映像６１２が配置された配置領域６０１の左上では、上下に無駄な領域が生じ、１６：９の縦設置のフルＨＤの監視映像６１３が配置された配置領域６０１の右下では、左右に無駄な領域が生じ、１６：９の斜め設置のフルＨＤの監視映像６１４が配置された配置領域６０１の左下では、上下左右に無駄な空き領域が生じている。
【００２７】
そこで、図５（ｂ）に示すように、１６：９の横設置のフルＨＤの配置映像６１２の配置位置について、配置領域６０１の上辺に合わせるよう配置位置を調整することで、上に生じていた無駄な空き領域を潰すことができる。また、１６：９の縦設置のフルＨＤの配置映像６１３の配置位置については、配置領域６０１の右辺に合わせるよう配置位置を調整することで、右に生じていた無駄な空き領域を潰すことができる。また、１６：９の斜め設置のフルＨＤの配置映像６１４については、配置位置を上にずらして、配置映像６１４の一部が配置映像６１２の背面に隠れるよう配置している。これにより、まとまった空き領域６０を確保することができ、この空き領域６０に新たな配置映像６１や静止画６２等を配置することができる。
【００２８】
ユーザは、配置領域６００に配置した配置映像６１について、配置領域６００内を自在に移動させられるだけでなく、配置映像６１の映像領域の一部を切り出した切り出し領域を作成し、その切り出し領域（以下、各切り出し領域を区別する必要がない場合、単に切り出し領域６１０として説明する）を配置領域６００に配置することができる。図６は、ユーザが配置映像を切り出して配置領域に配置し直すイメージ図である。図６（ａ）における１６：９の縦設置のフルＨＤの配置映像６１３は、映像領域の中央部分を切り出し領域６１０ｂにより長方形に切り出されて、図６（ｂ）に示す配置領域６０１に切り出し領域６１０ｂとして配置されている。また、図６（ａ）に示す１６：９の斜め設置のフルＨＤの配置映像６１４は、映像領域の中央部分を切り出し領域６１０ａにより略正方形に切り出されて、図６（ｂ）に示す配置領域６０１に切り出し領域６１０ａとして配置されている。また、図６（ａ）に示す１６：９の横設置のフルＨＤの配置映像６１２の配置位置については、配置領域６０１の上辺に合わせるよう配置位置が調整されて、図６（ｂ）に示すように、監視映像６１２の上に生じていた無駄な空き領域が潰されるよう配置し直されている。このように切り出し領域６１０により、さらに広くまとまった空き領域６０を確保することができ、この空き領域６０に新たな配置映像６１等を配置することができる。
【００２９】
また、配置映像６１の縦又は／及び横のサイズは、それぞれ自在に設定可能としてもよい。例えば、図７は、１６：９の横設置の配置映像６１２における横サイズを縦サイズとは異なる縮尺に変更して配置領域６０１に配置する様子を示したイメージ図である。
【００３０】
図７（ａ）では、１６：９の横設置の配置映像６１２に対し、切り替わり線６２０ａ、６２０ｂが設けられている。切り替わり線６２０ａは、設定された位置から左方向の配置影像６１２を横方向に単純線形圧縮させて、配置映像６１２のサイズを４：３比率に変更するものである。また、切り替わり線６２０ｂは、設定された位置から右方向の配置影像６１２を横方向に単純線形圧縮させて、配置映像６１２のサイズを４：３比率に変更するものである。ここで、単純線形圧縮とは、圧縮対象領域を同一の圧縮率で圧縮することを言う。図８は、配置映像６１２の横方向に対する圧縮率を示したイメージ図である。図８（ａ）に示すように、配置映像６１２の両端から切り替わり線６２０ａ、６２０ｂまでの画像領域に対して単純線形圧縮することで、被写体の描画に対する正確さ（線が曲がっているのか真っ直ぐなのか等）を確保することができる。図８（ｂ）に示すように、仮に、４：３比率の画面に１６：９の映像を表示させる際に、単純線形圧縮させずに、配置映像６１２の両端に近づくに従って横方向に連続的に圧縮率を変えて圧縮して表示させたとすると、被写体の描画の正確さを判断できないため、監視目的に適さない。そのため、ここでは、被写体の形状を正確に把握できるように単純線形圧縮するものとしている。
【００３１】
図７（ａ）に戻り、切り替わり線６２０ａ、６２０ｂを境に単純線形圧縮することで、１６：９比率から４：３比率にサイズを変更したものが、配置映像６１２´である。配置映像６１２´では、切り替わり線６２０ａ、６２０ｂが明示された状態となっている。これにより、図７（ｃ）に示すように、例えば４：３画像を前提とした４分割画面に、１６：９の配置映像６１２を配置すると、上下に無駄な部分が生じる上に全体が縮小されるため解像度を低下させてしまうが、切り替わり線６２０ａ、６２０ｂを境に単純線形圧縮された配置映像６１２´によれば、必要とする部分の解像度を低下させずに無駄なく配置することができる。なお、ここでは一例として、切り替わり線６２０ａ、６２０ｂは、配置映像６１２の左右からそれぞれ１／４の位置に設定されているが、１／３等の自由な位置に設定可能である。例えば、重要な被写体に対しては、その被写体が映っている部分を圧縮しないように、切り替わり線６２０ａ、６２０ｂを移動させることができる。
【００３２】
また、図７（ｂ）に示すように、１６：９の横設置の配置映像６１２に対し、配置映像６１２全体を横方向に単純線形圧縮して、４：３比率に対応した配置映像６１２´´を生成してもよい。この場合でも、図７（ｃ）に示すように、配置映像６１２´´を４：３比率の画面に無駄なく配置することができる。なお、図７（ａ）、（ｂ）では、配置映像６１２の横方向のサイズを変更する場合を例に説明したが、縦方向や斜め方向のサイズを変更することも可能であり、例えば、１６：９の縦設置の配置映像６１３の縦方向のサイズを変更して配置させてもよい。
【００３３】
また、配置映像６１は、３次元的に回転されて配置領域６００に配置されてもよい。例えば、図９は、カメラ１〜５のうちカメラ２〜５に対応する４つの配置映像６１が３次元的に回転されて表示された表示領域のイメージ図である。図９（ａ）では、カメラ１の配置映像６１５が表示領域正面に配置され、カメラ２〜５の配置映像６１６〜６１９がそれぞれ表示領域の左右上下に配置されている。図９（ｂ）に示すように、このときのカメラ１の配置映像６１５は、ｘ−ｙ平面上の画像を回転させずにそのまま配置したものである。それに対し、カメラ２の配置映像６１６は、ｘ−ｙ平面上の画像をｘ軸に対して回転させた画像を配置したものであり、カメラ３の配置映像６１７は、ｙ軸に対して回転させた画像を配置したものである。また、カメラ４の配置映像６１８は、ｘ−ｙ平面上の画像をｙ軸に対してカメラ３の配置映像６１７とは逆に回転させた画像を配置したものである。また、カメラ５の配置映像６１９は、ｘ−ｙ平面上の画像をｘ軸に対してカメラ２の配置映像６１６とは逆に回転させた画像を配置したものである。これにより、表示領域５００には、配置映像６１が３次元的に回転されて配置されていることにより、立体的に投影されたように配置映像６１が表示される。なお、ここでは、ｘ軸及びｙ軸に対して配置映像６１を回転させた例を示したが、ｚ軸に対して配置映像６１を回転させて配置させてもよい、
【００３４】
また、切り出し領域６１０は、複数の配置映像６１にまたがった範囲から切り出されてもよい。図１０（ａ）は、複数の配置映像が配置された配置領域から、切り出し領域を作成するイメージ図である。図１０（ａ）に示すように、配置領域６０５には、配置映像６１として監視映像Ｈ〜監視映像Ｎが配置されている。切り出し領域６１０ｃは、映像Ｈ、映像Ｋ、映像Ｉにまたがっており、切り出し領域６１０ｅは、映像Ｌ、映像Ｍ、映像Ｎにまたがっている。切り出し領域６１０ｄは、映像Ｍのみの映像領域から切り出されたものである。
【００３５】
図１０（ｂ）に示すように、ユーザは、切り出し領域６１０ｃ〜切り出し領域６１０ｅを、表示領域５００全体に表示させることもできる。これは、クライアント端末４の表示部の物理的な表示領域５００よりも広い配置領域６００を仮想的に定義して、その配置領域６００の任意の範囲を切り出し領域６１０によって指定して表示領域５００に表示するものである。このとき、切り出し領域６１０を小さく指定すると、より高精細な配置映像６１を表示領域５００に表示することができ、逆に、切り出し領域６１０を大きく指定すると、配置映像６１の精細さが減少する代わりに複数の配置映像６１に対する一覧性を高めることができる。また、切り出し領域６１０を配置領域６００内の配置映像６１等の配置範囲に合わせることで、配置範囲全体を表示領域５００で表示することもできる。
【００３６】
また、１つの表示領域５００に対して複数の切り出し領域６１０を割り当てて、表示領域５００の表示内容を変更するようにしてもよい。この割り当ての変更は、手動によって行われてもよいし、予め設定されたスケジュールに従って自動的に行われてもよい。また、ある切り出し領域６１０から次の切り出し領域６１０への切り替わりは、一度に切り替わってもよいし、連続して又は変形して移行するようにトランジション効果を伴って切り替わってもよい。このように、複数の切り出し領域６１０を巡回的に表示して、多数の配置映像６１に対する一覧性やアクセス性を向上させることができる。なお、マルチモニター等による複数の表示領域５００を使用して、各表示領域５００にそれぞれ別の切り出し領域６１０を表示させてもよいことは言うまでもない。
【００３７】
また、１つの表示領域５００に複数の配置領域６００を設けて、各配置領域６００に配置映像６１をレイアウトできるようにしてもよい。図１１は、１つの表示領域５０５に３つの配置領域６０５〜配置領域６０７が設けられた画面例である。配置領域６０７は、××ビルディングに関する映像監視という視点でレイアウトされており、パターンＡとしてテーブル格納メモリ１４に登録されている。配置領域６０５は、全監視映像の一覧表示を目的としてレイアウトされており、パターンＢとしてテーブル格納メモリ１４に登録されている。また、配置領域６０６は、各拠点映像の代表映像がレイアウトされており、パターンＣとしてテーブル格納メモリ１４に登録されている。各配置領域６０５〜６０７の画面表示は、タブによって切り替え可能に構成されている。図１１では、パターンＡが表示されたタブ部が、現在選択状態になっているため、最前面に表示されている。このように、複数の配置領域６００のレイアウト情報をテーブル格納メモリ１４に記憶して、レイアウト情報を切り替えて表示することで、表示領域５００を有する表示部を複数ユーザや多様な運用モード間で共用することができる。なお、図１１では、タブによって配置領域６０５〜６０７を切り替え可能に構成する例を説明したが、ボタンやメニュー等のユーザインタフェースにより複数の配置領域６００を切り替え可能に構成してもよい。
【００３８】
このように、本実施形態によれば、表示領域５００に合わせて設けられた配置領域６００に、配置映像６１を任意の位置に自在に配置して、配置した配置映像６１を切り出したり、拡大、縮小、移動、又は回転させたりすることで、配置領域６００内のレイアウトを自在に変更できる。そのため、フォーマットの異なる多くの配置映像６１を表示させることができ、また、ユーザのニーズに合致した見易い表示にすることができる。また、配置領域６００に配置した配置映像６１のレイアウトを変更して確保した空き領域６０に、新たな監視映像６１や、監視映像６１の説明や、警告、広告等の静止画６２やイラスト６３等の追加情報を付加することができるので、ユーザの利便性や表示全体の付加価値を高めることができる。
【００３９】
以上、本実施形態を概説すると、
（１）本実施形態の映像表示装置は、複数の監視映像を配置領域に配置して表示させる映像表示装置であって、表示させた前記監視映像の配置位置を任意の位置に自在に設定可能とする配置位置変更手段を備えたことを特徴とする。
（２）（１）に記載の映像表示装置は、表示させた前記監視映像を回転、拡大、又は縮小させて前記配置領域に配置し直す映像加工手段を備えてもよい。
（３）（１）又は（２）に記載の映像表示装置は、前記配置領域にユーザの所望の文字列、図形、又は線を描画する描画手段を備えてもよい。
（４）（１）から（３）までのいずれか１つに記載の映像表示装置は、前記配置領域にユーザの所望の静止画又は動画を配置可能な画像貼り付け手段を備えてもよい。
（５）（１）から（４）までのいずれか１つに記載の映像表示装置は、表示させた前記監視映像の映像領域の内、ユーザによって指定された範囲を切り出して、切り出した切り出し領域を前記配置領域に配置し直す切り出し手段を備えてもよい。
（６）（１）から（５）までのいずれか１つに記載の映像表示装置は、複数の前記配置領域のいずれかを表示するように切り替える切換手段を備えてもよい。
（７）（５）に記載の映像表示装置は、前記配置領域は、物理的な表示領域よりも仮想的に広く定義され、前記配置領域に配置される前記切り出し領域の大きさによって前記監視映像が拡大又は縮小されて表示されてもよい。
（８）（５）又は（７）に記載の映像表示装置は、複数の前記切り出し領域を予め設定されたスケジュールに従って自動で切り替えるスケジュール手段を備えてもよい。
（９）（１）から（８）までのいずれか１つに記載の映像表示装置は、前記配置領域のレイアウト情報を記憶部に記憶させる配置保存手段を備えてもよい。
（１０）（１）から（９）までのいずれか１つに記載の映像表示装置は、前記配置領域は、表示領域のサイズ、画面数に合わせて自動的に形状、大きさが変更されてもよい。
（１１）本実施形態の監視装置は、複数の監視映像を配置領域に配置して表示させる監視装置であって、表示させた前記監視映像の配置位置を任意の位置に自在に設定可能とする配置位置変更手段と、前記監視映像の撮影場所を示す見取り図を前記配置領域の任意の配置位置に貼り付ける画像貼り付け手段と、前記監視映像と前記見取り図における前記監視映像の撮影場所とを関連付ける図形を前記配置領域に描画する描画手段とを備えたことを特徴とする。
【００４０】
本発明は上述した実施の形態に限定されるものではなく、本発明の趣旨を逸脱しない範囲で種々様々に変更が可能であることは言うまでもない。例えば、レイアウト情報は、クライアント端末４に記憶されてもよい。また、静止画６２だけでなく、監視映像とは異なるユーザ所望の動画を配置領域６００に貼り付けられるようにしてもよい。なお、上記実施形態において、同様の機能を示す構成には、同一の符号を付してある。
【符号の説明】
【００４１】
１：画像蓄積配信サーバ
２（２−１〜２−ｎ）：ＷＥＢカメラ
３：ネットワーク
４（４−１〜４−ｍ）：クライアント端末
１１：ネットワークインタフェース
１２：プロセッサ
１３：プログラム格納メモリ
１４：テーブル格納メモリ
１５：ディスクインタフェース
１６：ディスク装置
１７：データ格納メモリ
６０：空き領域
６１（６１１〜６１９）：配置映像
６２：静止画
６３：イラスト
１６０（１６０−１〜１６０−ｎ）：記憶領域
２００：監視映像リスト
４００：配置保存ボタン
５００（５０１〜５０６）：表示領域
６００（６０１〜６０８）：配置領域
６１０（６１０ａ〜６１０ｅ）：切り出し領域
６２０（６２０ａ、６２０ｂ）：切り替わり線
【図１】
2013081039.tif 000003
【図２】
2013081039.tif 000004
【図３】
2013081039.tif 000005
【図４】
2013081039.tif 000006
【図５】
2013081039.tif 000007
【図６】
2013081039.tif 000008
【図７】
2013081039.tif 000009
【図８】
2013081039.tif 000010
【図９】
2013081039.tif 000011
【図１０】
2013081039.tif 000012
【図１１】
2013081039.tif 000013